(57)【要約】【課題】金属、非金属の２種の壁面パネルをコーナで連結する場合に、２種の壁面パネル側端をコーナで支持する浴室ユニット用壁パネル連結支持用コーナブロックを提供する。【解決手段】コーナブロック２０は、床パンＰのコーナ部を形成する直交起立壁Ｐａ、Ｐｂに対して反対方向に直交する一組の側面２１ａ、２１ｂを有した立上り角壁部２１を形成し、かつ該立上り角壁部２１のそれぞれの側面２１ａ、２１ｂには床パンＰの直交起立壁Ｐａ、Ｐｂの上端に係止する一組の固定脚部２２ａ、２２ｂを設けるとともに、立上り角壁部２１の上方には、立上り角壁部２１のそれぞれの側面から延設された一組の側面２４ａ、２４ｂを有したバックアップ壁２４が形成されている。【選択図】図１
2006009390.tif 000002
【特許請求の範囲】
【請求項１】
側端を連結部材で相互に連結された、第１の壁面パネルの下端と、第１壁面パネルより薄厚の第２の壁面パネルの下端とを、浴室ユニットの床パンのコーナ部で支持するために使用されるコーナブロックであって、
上記コーナブロックは、上記床パンのコーナ部を形成する直交起立壁に対して反対方向に直交する一組の側面を有した立上り角壁部を形成し、かつ該立上り角壁部のそれぞれの側面には上記床パンの上記直交起立壁の上端に係止する一組の固定脚部を設けるとともに、上記立上り角壁部の上方には、段部を介して、上記立上り角壁部のそれぞれの側面から延設された一組の側面を有したバックアップ壁が形成されていることを特徴とする、浴室ユニット用壁面パネルの連結支持用コーナブロック。
【請求項２】
請求項１において、
上記第１の壁面パネルは、基材となるセメント壁材にバックフレームを組み付けた構造体であり、上記第２の壁面パネルは、基材となる金属板の両端に連結用リブを形成した構造体である、浴室ユニット用壁パネルの連結支持用コーナブロック。
【請求項３】
請求項２において、
上記一組の固定脚部の上部は、上記バックフレーム、上記連結用リブを載せ置くための切欠段部を更に形成している、浴室ユニット用壁面パネル連結支持用コーナブロック。
【請求項４】
基材をセメント板などの非金属材料で形成した第１の壁面パネルと、基材を金属板で形成した、第１壁面パネルより薄厚の第２の壁面パネルとの側端同士を連結部材で相互に連結し、かつ、この連結部材で連結された上記第１の壁面パネルの下端と、上記第２の壁面パネルの下端とを、請求項１〜３のいずれかに記載されたコーナブロックで、床パンのコーナ部に支持するようにした、浴室ユニットの壁面パネル連結構造。
【発明の詳細な説明】
【技術分野】
【０００１】
本発明は、浴室ユニット用壁面パネルをコーナで連結する際の連結支持用コーナブロック、及びそれを利用した浴室ユニット用壁面パネル連結構造に関するものである。
【背景技術】
【０００２】
従来の浴室ユニット内の壁面は、基材を金属で構成した壁面パネルや、基材をセメント板などで構成した壁面パネル等、同種の壁面パネルで構成されており、隣り合う直交面の２つの壁面パネルのパネル間はコーナ用の連結部材で固定され、その場合の、隣り合うそれぞれの壁面パネルの下端は、床パンのコーナ部に設置されたコーナブロックによって支持される。
【０００３】
図６（ａ）は、浴室ユニットの室内側から見たコーナの壁面下端部分を示しており、図中、点線で囲んだ箇所のパネル裏面側には、（ｂ）に示したコーナブロックが設けられている。
このコーナブロックは、基材が金属板で形成された壁面パネルどうしをコーナ下端で支持し位置決めするためのもので、左右対称の形状を有している。図中の斜線で示した面で壁面パネルの側面が支持される。
【０００４】
他方、基材をセメント板などの非金属材料で形成した壁面パネルを浴室ユニットに使用する場合、コーナ下端部には上記のものとは別の形状のコーナブロック（不図示）が設けられ、壁面パネルの下端部や連結部材が支持されるようになっている。
【０００５】
次に示す特許文献には、同種の壁面パネルどうしの連結構造と、連結に使用される連結部材が開示されている。
【特許文献１】特開２００１−６５０８４号公報
【発明の開示】
【発明が解決しようとする課題】
【０００６】
浴室ユニットでは、上記のように同種の壁面パネルを各壁に貼り付けることが一般的であるが、近年、浴室ユニット内の壁面を、上記２種を組み合わせたものにしたいとの要望がある。この要望に応えるためには、直交して隣り合う２種の壁面パネルを、連結部材を用いてコーナ連結させればよいが、上記従来のコーナブロックでは、壁面パネルを載せ置くための形状が全く合致せず、当然にパネル下端を支持することはできない。
【０００７】
本発明は、このような事情を考慮して提案されたもので、その目的は、金属、非金属の２種の壁面パネルをコーナで連結する場合に、２種の壁面パネル側端をコーナで支持する浴室ユニット用壁面パネルの連結支持用コーナブロックを提供することにある。
また、連結されたパネル間には防水のためコーキング剤を打つが、コーナブロックにコーキング用のバックアップ機能を持たせることも本発明の主たる目的に含まれる。
【課題を解決するための手段】
【０００８】
上記目的を達成するために、請求項１に記載の浴室ユニット用壁面パネル連結支持用コーナブロックは、側端を連結部材で相互に連結された、第１の壁面パネルの下端と、第１壁面パネルより薄厚の第２の壁面パネルの下端とを、浴室ユニットの床パンのコーナ部で支持するために使用されるものであって、次のような構造となっている。
すなわち、コーナブロックは、床パンのコーナ部を形成する直交起立壁に対して反対方向に直交する一組の側面を有した立上り角壁部を形成し、かつ該立上り角壁部のそれぞれの側面には床パンの直交起立壁の上端に係止する一組の固定脚部を設けるとともに、立上り角壁部の上方には、段部を介して、立上り角壁部のそれぞれの側面から延設された一組の側面を有したバックアップ壁が形成されている。
【０００９】
請求項２では、請求項１において、第１の壁面パネルが基材となるセメント壁材にバックフレームを組み付けた構造体であり、第２の壁面パネルは、基材となる金属板の両端に連結用リブを形成した構造体であることを特徴としている。
請求項３では、請求項２において、一組の固定脚部の上部にはバックフレーム、連結用リブを載せ置くための切欠段部を更に形成している。
【００１０】
請求項４に記載の浴室ユニットの壁面パネル連結構造は、基材をセメント板などの非金属材料で形成した第１の壁面パネルと、基材を金属板で形成した、第１壁面パネルより薄厚の第２の壁面パネルとの側端同士を連結部材で相互に連結し、かつ、この連結部材で連結された第１の壁面パネルの下端と、第２の壁面パネルの下端とを、請求項１〜３のいずれかに記載されたコーナブロックで、床パンのコーナ部に支持するようにしている。
【発明の効果】
【００１１】
請求項１に記載の浴室ユニット用壁面パネル連結支持用コーナブロックによれば、一組の側面を有した立上り角壁部を備えているので、側端を連結部材で相互に連結された、基材の異なる２種の壁面パネルをコーナ部で支持することができ、位置決めが容易に行える。また、立上り角壁部がコーキング剤のバックアップ面ともなりうる。
また、一組の側面を有したバックアップ壁を形成しているので、バックアップ壁と連結部材とのオーバーラップにより、防水効果を向上させることができるとともに、コーキング剤をバックアップ壁で止めることができ、コーキング剤で確実に防水することができる。
さらに、一組の固定脚部を設けているので、床パンコーナ部の直交起立壁に対して簡単に設置することができる。
また、バックアップ壁が段部を介して立上り角壁部の上方に形成されているので、連結部材を載置することができ、安定化が図れる。
【００１２】
請求項２では、第１の壁面パネルが基材となるセメント壁材にバックフレームを組み付けた構造体であり、第２の壁面パネルが基材となる金属板の両端に連結用リブを形成した構造体であるため、ともに強度にすぐれ、相互に連結してコーナブロックで支持される場合に、一定の安定度、強度を保持することができる。
【００１３】
請求項３では、第１壁面パネルのバックフレーム、第２壁面パネルの連結用リブを載せ置くための切欠段部を形成しているので、壁面パネルの起立の安定化が図れる。
【００１４】
請求項４に記載の浴室ユニットの壁面パネル連結構造は、請求項１〜３のいずれかのコーナブロックで壁面パネルを支持する構造となっているので、上記と同様の効果が期待できる。
【発明を実施するための最良の形態】
【００１５】
以下に、本発明の実施形態について、添付図面とともに説明する。なお、以下に説明する第１の壁面パネルは、基材がセメント板などの非金属材料で形成されたものであり、第２の壁面パネルは、基材が金属板で形成されたものである。
【実施例１】
【００１６】
図２は、ユニットバスルームの一例を示した平面図である。この例は、４面の壁面のうち１面を第１の壁面パネルＷ１で、他の３面を第２の壁面パネルＷ２で形成するようにしたものを示している。すなわち、図中、コーナＡ、Ｂでは、異なる種類の第１、第２の壁面パネルＷ１、Ｗ２を相互連結させる必要がある。
【００１７】
ここに、第１の壁面パネルＷ１の代表的なものは、特殊なセメント板を基材として、その表面にベースコート層、トップコート層を形成し、裏面にバックコート層を形成し、バックコート層の裏から、補強、連結のために、アルミなどで構成された中空のバックフレームを溶接や接着で取り付けた構造体をなしているものが採用されるが、それには限定されない。
また、第２の壁面パネルＷ２は、アルミ亜鉛鋼板などの金属板を基材として、その表面にベース層、ＰＥＴ樹脂などの表面層を形成し、裏面にバック層を形成し、それらの両側端を折曲して、連結リブを形成した構造体をなしているものが採用されるが、それには限定されない。
第１の壁面パネルＷ１と第２の壁面パネルＷ２とは、以上のような構造的差異があるが、その構造上の特徴から、第２の壁面パネルＷ２は、第１の壁面パネルＷ１よりも薄厚に形成されているのが一般的である。
【００１８】
以下では、このコーナ部分の連結構造及び浴室ユニット用壁面パネル連結支持用コーナブロック（以下、コーナブロックという）について説明する。なお、コーナＣ、Ｄは従来の同種の連結方法によって連結されるため、説明は省略する。
【００１９】
図３は、図２のコーナＡでの第１、第２の壁面パネルＷ１、Ｗ２の連結構造を示す概略図である。（ａ）は連結前の状態を示しており、（ｂ）は連結後の状態を示している。
【００２０】
第１の壁面パネルＷ１は、基材をセメント板としたパネル本体１ａと、パネル本体１ａの裏面に取り付けた上下、左右（図には上下のみ記載）に走る中空のバックフレーム１ｂとを含んで構成される。
他方、第２の壁面パネルＷ２は、基材を金属で構成したパネル本体２ａと一体的に、端部に鉤型の連結用リブ２ｂが形成されている。この連結用リブ２ｂは、パネル本体２ａの端部を折り曲げて形成されたものである。
【００２１】
連結部材１０は、バックフレーム取付片１１に、連結用囲壁１２を延設した構造となっており、図に示すように上部から見た場合、ひしゃく状の断面形状をしている。
このような連結部材１０は、第１の壁面パネルＷ１の側端に取り付けた中空バックフレーム１ｂ内に、複数の長孔（不図示）を所定間隔で上下方向に設けた内組金具３０を挿入し、長孔に対応しただるま孔１３を形成したバックフレーム取付片１１を、中空バックフレーム１ｂの側面にあてがい、だるま孔１３より内組金具３０の長孔に向けて固定ねじを螺入させ、内組金具３０をバックフレーム１ｂ打ち込み埋没させる。
【００２２】
このようにして、バックフレーム取付片１１を第１の壁面パネルＷ１のバックフレーム１ｂに取り付けた後は、連結用囲壁１２で第２の壁面パネルＷ２の側端に形成した連結用リブ２ｂを囲い込み、その状態で連結用囲壁側から連結用リブ２ｂにねじを螺入させて第２の壁面パネルを固定する（図３（ａ）、（ｂ）参照）。
このような形状の連結部材１０を利用することによって、両壁面パネルＷ１、Ｗ２の側端を相互に連結することができる。また、両壁面パネルＷ１、Ｗ２の上記連結構造（バックフレーム１ｂ、連結用リブ２ｂ）により、相互に連結して後述するコーナブロック２０で支持された場合には、一定の安定度、強度を保持することができる。
【００２３】
図４には、このようにコーナで連結された浴室ユニットの壁面パネルの下部を室内側から見た図を示している。図中、点線で囲んだ部分で示したコーナ下端部分の裏面には、両壁面パネルＷ１、Ｗ２のコーナ下端を支持するための、後述するコーナブロック２０が配置されている。また、図中の符号Ｐは床パン、Ｐａ、Ｐｂはその起立壁を示しており、この起立壁Ｐａ、Ｐｂはコーナ下端部分の裏面で直交している。
【００２４】
ついで、図１を参照してコーナブロックを説明する。
図１（ａ）は、コーナブロック２０の外観を示した斜視図、（ｂ）はコーナブロック２０の床パンに対する施工状態を示した斜視図である。
【００２５】
コーナブロック２０は、床パンＰのコーナ部を形成する直交起立壁Ｐａ、Ｐｂに対して反対方向に直交する一組の側面２１ａ、２１ｂを有した立上り角壁部２１を形成し、それぞれの立上り角壁部側面２１ａ、２１ｂには、床パンＰの直交起立壁Ｐａ、Ｐｂの上端を挟み止めしてコーナブロック本体２０を固定する、クリップ構造の一組の固定脚部２２ａ、２２ｂを設けている。
さらに、立上り角壁部２１のそれぞれの側面２１ａ、２１ｂには、両壁面パネルＷ１、Ｗ２を相互連結させた連結部材１０の下端を載せ置くための段部２３を形成し、これによって第１、第２の壁面パネルＷ１、Ｗ２をしっかりとコーナ部に固定できるようにしている。この段部２３は、連結部材１０の下端との干渉をなくすためのものであってもよい。
また、この連結部材載置用段部２３から立ち上がった直交する一組の側面２４ａ、２４ｂで形成されたコーナ部でバックアップ壁２４を形成し、第１、第２の壁面パネルのコーナ部に施工されるコーキング剤を受け止めることで、コーキング処理をより確実なものにしている。
なお、図１（ｂ）の符号Ｆａ、Ｆｂは、第１、第２の壁面パネルＷ１、Ｗ２の本体を直接載せ置くためのパッキンであり、パネルの破損を防止し、かつ気密性を担保するものである。
【００２６】
また、一組の固定脚部２２ａ、２２ｂのそれぞれの上部には、第１の壁面パネルＷ１の裏面で上下、横方向に走るバックフレーム１ｂ、第２の壁面パネルＷ２の裏面で上下方向に走る連結用リブ２ｂを載せ置くための切欠段部２５ａ、２５ｂをさらに形成している。
この実施例では、厚みのある第１の壁面パネルに対する切欠段部２５ａは、コーナブロックの後側に形成され、壁面パネルＷ１の裏面で、横方向に走るバックフレーム１ｂの下方縁部を受け止める構造になっているが、肉薄の第２の壁面パネルに対する切欠段部２５ｂは、コーナブロックの前側に形成され、壁面パネルＷ２の裏面で、上下方向に走る連結用リブ２ｂの下端を受け止める構造になっている。
このように、バックフレーム１ｂ、連結用リブ２ｂを切欠段部２５ａ、２５ｂに載せ置けば、両パネルＷ１、Ｗ２の起立が安定する。なお、切欠段部２５ａ、２５ｂは、バックフレーム１ｂ、連結用リブ２ｂを載せ置くためではなく、干渉をなくすために形成されたものであってもよい。
図１（ｃ）、（ｄ）には、第１、第２の壁面パネルＷ１、Ｗ２をコーナブロック２０に載置した状態の、ａ、ｂ方向から見た断面図を示している。
【００２７】
以上のように、コーナブロック２０の立上り角壁部２１によって第１、第２の壁面パネルＷ１、Ｗ２が支持されるので、第１、第２壁面パネルＷ１、Ｗ２の位置決めを容易に行うことができる。また、立上り角壁部２１、特にそのコーナ部はコーキング剤のバックアップ面を形成する。また、段部２３には連結部材１０を載置でき、その段部２３から立ち上がっているバックアップ壁２４により連結部材１０を支持できるとともに、このバックアップ壁２４と連結部材１０とのオーバーラップにより、防水効果も向上するとともに、コーキング剤をバックアップ壁２４で止めることができ、コーキング剤で確実に防水することができる。
【００２８】
図５（ａ）、（ｂ）には、第１、第２の壁面パネルＷ１、Ｗ２の取り付け方法を個別に示している。それぞれのパネルの裏面の左右下部には壁掛けハンガーＨを設けており、この壁掛けハンガーで床パンＰの直交起立壁Ｐａ、Ｐｂを挟み止めし、コーナブロック２０の立上り角壁部２１の側面２１ａ、２１ｂで壁面パネルＷ１、Ｗ２が位置決めされる。
【図面の簡単な説明】
【００２９】
【図１】（ａ）は本発明のコーナブロックの外観を示した斜視図、（ｂ）はコーナブロック２０の床パンに対する載置状態を示す図、（ｃ）は第１の壁面パネルの取り付け断面図、（ｄ）は第２の壁面パネルの取り付け断面図である。
【図２】ユニットバスルームの一例を示した平面図である。
【図３】第１、第２の壁面パネルの連結構造を示す概略図であり、（ａ）は連結前、（ｂ）は連結後の状態を示している。
【図４】第１、第２の壁面パネルがコーナ連結された下端部分を示した図である。
【図５】（ａ）、（ｂ）には、第１、第２の壁面パネルの取り付け方法を個別に示した図である。
【図６】（ａ）はコーナ連結された下端部分を示した図であり、（ｂ）は従来のコーナブロックの外観図である。
【符号の説明】
【００３０】
Ｗ１      第１の壁面パネル
１ａ      第１の壁面パネル本体
１ｂ      バックフレーム
Ｗ２      第２の壁面パネル
２ａ      第２の壁面パネル本体
２ｂ      連結用リブ
１０      連結部材
１１      バックフレーム取付片
１２      連結用囲壁
１３      だるま孔
３０      内組金具
２０      コーナブロック
２１、２１ａ、２１ｂ      一組の立上り角壁部
２２ａ、２２ｂ      一組の固定脚部
２３      連結部材載置用段部
２４、２４ａ、２４ｂ      一組のバックアップ壁
２５ａ、２５ｂ      切欠段部
Ｐ      床パン
Ｐａ、Ｐｂ      床パン直交起立壁
【図１】
2006009390.tif 000003
【図２】
2006009390.tif 000004
【図３】
2006009390.tif 000005
【図４】
2006009390.tif 000006
【図５】
2006009390.tif 000007
【図６】
2006009390.tif 000008